(57)【要約】【課題】利用者に対して放送マネージドアプリケーションの視聴機会が奪われることを防止すること。【解決手段】デジタル放送受信機（５）において、受信部（１０）は、放送番組と放送マネージドアプリケーション（４）を管理するＡＩＴと放送番組を識別する番組識別子とを含む放送波（２）を第１放送サービスと第２放送サービスとの一方の放送サービスで受信して、一方の放送サービスの放送番組を出力部（２０）に提示する。制御部（３０）は、放送波（２）に含まれるＡＩＴに基づいて、放送マネージドアプリケーション（４）を取得して出力部（２０）に提示する。制御部（３０）は、放送サービスを一方の放送サービスから第１放送サービスと第２放送サービスとの他方の放送サービスに切り替えるときに、放送サービスの切り替え前後の放送番組の番組識別子が一致する場合、放送マネージドアプリケーション（４）の提示を継続する。【選択図】図１
2015211434.tif 000002
【特許請求の範囲】
【請求項１】
出力部と、
放送番組と放送マネージドアプリケーションを管理するアプリケーション制御情報と前記放送番組を識別する番組識別子とを含む放送波を第１放送サービスと第２放送サービスとの一方の放送サービスで受信して、前記一方の放送サービスの前記放送番組を前記出力部に提示する受信部と、
前記放送波に含まれる前記アプリケーション制御情報に基づいて、前記放送マネージドアプリケーションを取得して前記出力部に提示する制御部と、
を具備し、
前記制御部は、放送サービスを前記一方の放送サービスから前記第１放送サービスと前記第２放送サービスとの他方の放送サービスに切り替えるときに、前記放送サービスの切り替え前である前記一方の放送サービスの前記放送番組の番組識別子と、前記放送サービスの切り替え後である前記他方の放送サービスの前記放送番組の番組識別子とが一致する場合、前記放送マネージドアプリケーションの提示を継続することを特徴とするデジタル放送受信機。
【請求項２】
前記制御部は、前記放送サービスを前記一方の放送サービスから前記他方の放送サービスに切り替えるときに、前記放送サービスの切り替え前である前記一方の放送サービスの前記放送番組の番組識別子と、前記放送サービスの切り替え後である前記他方の放送サービスの前記放送番組の番組識別子とが一致しない場合、前記放送マネージドアプリケーションの提示を停止することを特徴とする請求項１に記載のデジタル放送受信機。
【請求項３】
前記第１放送サービス、前記第２放送サービスが、それぞれ、複数セグメント放送、ワンセグメント放送であり、
前記制御部は、前記放送サービスを前記ワンセグメント放送から前記複数セグメント放送に切り替えるときに、前記放送サービスの切り替え前である前記ワンセグメント放送の前記放送番組の番組識別子と、前記放送サービスの切り替え後である前記複数セグメント放送の前記放送番組の番組識別子とが一致しない場合、前記放送マネージドアプリケーションである現在の放送マネージドアプリケーションの提示を停止し、前記放送波に含まれる新たなアプリケーション制御情報に基づいて、新たに放送マネージドアプリケーションを取得して前記出力部に提示することを特徴とする請求項１または２に記載のデジタル放送受信機。
【請求項４】
前記第１放送サービス、前記第２放送サービスが、それぞれ、複数セグメント放送、ワンセグメント放送であり、
前記制御部は、前記放送サービスを前記複数セグメント放送から前記ワンセグメント放送に切り替えるときに、前記放送サービスの切り替え前である前記複数セグメント放送の前記放送番組の番組識別子と、前記放送サービスの切り替え後である前記ワンセグメント放送の前記放送番組の番組識別子とが一致しない場合、前記放送マネージドアプリケーションである現在の放送マネージドアプリケーションの提示を停止し、前記放送波に含まれる新たなアプリケーション制御情報に基づいて、新たに放送マネージドアプリケーションを取得して前記出力部に提示することを特徴とする請求項１から３のいずれかに記載のデジタル放送受信機。
【請求項５】
放送番組と放送マネージドアプリケーションを管理するアプリケーション制御情報と前記放送番組を識別する番組識別子とを含む放送波を第１放送サービスと第２放送サービスとの一方の放送サービスで受信して、前記一方の放送サービスの前記放送番組を出力部に提示するステップと、
前記放送波に含まれるアプリケーション制御情報に基づいて、前記放送マネージドアプリケーションを取得して前記出力部に提示するステップと、
放送サービスを前記一方の放送サービスから前記第１放送サービスと前記第２放送サービスとの他方の放送サービスに切り替えるときに、前記放送サービスの切り替え前である前記一方の放送サービスの前記放送番組の番組識別子と、前記放送サービスの切り替え後である前記他方の放送サービスの前記放送番組の番組識別子とが一致する場合、前記放送マネージドアプリケーションの提示を継続するステップと、
を具備することを特徴とする放送マネージドアプリケーション提示方法。
【発明の詳細な説明】
【技術分野】
【０００１】
本発明は、放送通信連携サービスをユーザに提供するデジタル放送受信機、及び、放送マネージドアプリケーション提示方法に関する。
【背景技術】
【０００２】
ＩＰ（Internet Protocol）を利用してデジタルテレビ放送を配信する技術（その技術をＩＰＴＶという）が開発されている。そのＩＰＴＶの規定として、放送通信連携システム（ハイブリッドキャスト方式）が策定されている（例えば非特許文献１）。この放送通信連携システムでは、デジタル放送受信機は、放送信号を放送波により受信して、放送信号に含まれる放送コンテンツ（放送番組）を出力すると共に、ネットワーク経由で通信コンテンツを取得して、放送コンテンツと通信コンテンツとを同期再生する。これにより、放送と通信とを連携することが可能である。
【０００３】
具体的には、放送通信連携システムでは、ユーザが放送コンテンツの番組をデジタル放送受信機により視聴しているときに、デジタル放送受信機は、その放送コンテンツが所定のタイミングで、放送信号によりアプリケーションを取得して起動する。通信コンテンツが終了した場合、デジタル放送受信機は、放送信号によりアプリケーションを終了する。これにより、ユーザは、アプリケーションが提供する通信コンテンツを視聴可能である。このように、放送信号により起動及び終了が制御できるアプリケーションを放送マネージドアプリケーションという。
【０００４】
放送信号は、放送番組、データ放送、アプリケーション制御情報（Application Information Table：ＡＩＴ）等を含み、放送マネージドアプリケーションのライフサイクルはＡＩＴにより指定されている。ＡＩＴは、放送マネージドアプリケーションを管理するための情報であり、アプリケーション制御コードを含んでいる。アプリケーション制御コードは、対象のアプリケーションに対する動作制御を表している。アプリケーション制御コードとしては、自動起動（AUTOSTART）、動作可能（PRESENT）、終了（KILL）、プリフェッチ（PREFETCH）が挙げられる（非特許文献１の「７．１．１．  アプリケーション制御情報の概要」を参照）。例えば、デジタル放送受信機は、ＡＩＴのアプリケーション制御コードが自動起動（AUTOSTART）を示すときに、そのＡＩＴが指定する放送マネージドアプリケーションを取得・実行し、その後、ＡＩＴが更新され、そのＡＩＴのアプリケーション制御コードが終了（KILL）を示すときに、放送マネージドアプリケーションの実行を終了する。
【０００５】
放送通信連携システムでは、放送マネージドアプリケーションの終了は、次の事象によって発生する。まず、上述のように、デジタル放送受信機は、アプリケーション制御コードが終了（KILL）を示すＡＩＴを受信した場合に、放送マネージドアプリケーションの実行を終了する。また、アプリケーション制御コードが自動起動（AUTOSTART）か動作可能（PRESENT）を示すＡＩＴの受信が途絶えた場合に、タイムアウトにより、放送マネージドアプリケーションの実行を終了する。また、アプリケーション制御コードが自動起動（AUTOSTART）を示す別の放送マネージドアプリケーションに関するＡＩＴを受信した場合に、現在の放送マネージドアプリケーションの実行を終了する。また、放送マネージドアプリケーション自身がそのアプリケーションを終了させる関数を呼び出すことによって終了する。視聴中の放送サービスを利用者が切り替えた場合に、放送マネージドアプリケーションの実行を終了する（非特許文献１の「７．５．３．  アプリケーションの終了」を参照）。
【０００６】
デジタル放送受信機が移動体向けの端末である場合、複数セグメント放送（例えば、フルセグメント放送）とワンセグメント放送との一方の放送サービスから他方の放送サービスへの切り替えがある。この場合でも、放送サービスの切り替えが発生しているので、放送マネージドアプリケーションを終了させることになる。
【先行技術文献】
【非特許文献】
【０００７】
【非特許文献１】ＩＰＴＶ規定  放送通信連携システム仕様  ＩＰＴＶＦＪ  ＳＴＤ−００１０  １．０版（２０１３年３月２２日１．０版策定）
【発明の概要】
【発明が解決しようとする課題】
【０００８】
上述のように、放送通信連携システムでは、デジタル放送受信機は、放送サービスの切り替え時に放送マネージドアプリケーションを終了させる。例えば、利用者が、フルセグメント放送の放送番組を視聴中に、受信感度が低下してフルセグメント放送の表示画面の表示状態が悪くなったので、フルセグメント放送からワンセグメント放送に切り替えた場合がある。この場合でも、利用者が放送サービスの切り替え前後で同一の放送番組を視聴しているにも関わらず、デジタル放送受信機は、放送サービスの切り替え時に放送マネージドアプリケーションを終了させることになる。このため、放送局の意図に反した表示にはならないが、利用者に対して放送マネージドアプリケーションの視聴機会が奪われてしまう。
【０００９】
本発明は、上記の点に鑑みてなされたものであり、利用者に対して放送マネージドアプリケーションの視聴機会が奪われることを防止することができるデジタル放送受信機、及び、放送マネージドアプリケーション提示方法を提供することを目的とする。
【課題を解決するための手段】
【００１０】
本発明のデジタル放送受信機は、出力部と、放送番組と放送マネージドアプリケーションを管理するアプリケーション制御情報と前記放送番組を識別する番組識別子とを含む放送波を第１放送サービスと第２放送サービスとの一方の放送サービスで受信して、前記一方の放送サービスの前記放送番組を前記出力部に提示する受信部と、前記放送波に含まれる前記アプリケーション制御情報に基づいて、前記放送マネージドアプリケーションを取得して前記出力部に提示する制御部と、を具備し、前記制御部は、放送サービスを前記一方の放送サービスから前記第１放送サービスと前記第２放送サービスとの他方の放送サービスに切り替えるときに、前記放送サービスの切り替え前である前記一方の放送サービスの前記放送番組の番組識別子と、前記放送サービスの切り替え後である前記他方の放送サービスの前記放送番組の番組識別子とが一致する場合、前記放送マネージドアプリケーションの提示を継続することを特徴とする。
【００１１】
本発明の放送マネージドアプリケーション提示方法は、放送番組と放送マネージドアプリケーションを管理するアプリケーション制御情報と前記放送番組を識別する番組識別子とを含む放送波を第１放送サービスと第２放送サービスとの一方の放送サービスで受信して、前記一方の放送サービスの前記放送番組を出力部に提示するステップと、前記放送波に含まれるアプリケーション制御情報に基づいて、前記放送マネージドアプリケーションを取得して前記出力部に提示するステップと、放送サービスを前記一方の放送サービスから前記第１放送サービスと前記第２放送サービスとの他方の放送サービスに切り替えるときに、前記放送サービスの切り替え前である前記一方の放送サービスの前記放送番組の番組識別子と、前記放送サービスの切り替え後である前記他方の放送サービスの前記放送番組の番組識別子とが一致する場合、前記放送マネージドアプリケーションの提示を継続するステップと、を具備することを特徴とする。
【００１２】
本発明のコンピュータプログラムは、上記放送マネージドアプリケーション提示方法の各ステップをコンピュータに実行させる。
【発明の効果】
【００１３】
本発明によれば、放送番組を一方の放送サービスで受信された放送番組から他方の放送サービスで受信された放送番組に切り替えるときに、放送サービスの切り替え前である一方の放送サービスの放送番組と、切り替え後である他方の放送サービスの放送番組とが一致する場合、放送マネージドアプリケーションの提示を継続する。このように、利用者に対して放送マネージドアプリケーションの視聴機会が奪われることを防止することができる。
【図面の簡単な説明】
【００１４】
【図１】本発明が適用される放送通信連携システムの構成を示す概略ブロック図
【図２】一般的なデジタル放送受信機の動作を表す概念図
【図３】図２の問題点を表す概念図
【図４】本発明の第１実施形態に係るデジタル放送受信機の動作として、放送サービスをフルセグメント放送からワンセグメント放送に切り替える場合の概念図
【図５】図４の他の概念図
【図６】本発明の第１実施形態に係るデジタル放送受信機の動作として、放送サービスをワンセグメント放送からフルセグメント放送に切り替える場合の概念図
【図７】図６の他の概念図
【図８】図４、図５の動作を示すフローチャート
【図９】図６、図７の動作を示すフローチャート
【図１０】一般的なデジタル放送受信機の動作を表す概念図
【図１１】図１０の問題点を表す概念図
【図１２】本発明の第２実施形態に係るデジタル放送受信機の動作として、放送サービスをワンセグメント放送からフルセグメント放送に切り替える場合の概念図
【図１３】図１２の他の概念図
【図１４】本発明の第２実施形態に係るデジタル放送受信機の動作として、放送サービスをフルセグメント放送からワンセグメント放送に切り替える場合の概念図
【図１５】図１４の他の概念図
【図１６】図１２、図１３の動作を示すフローチャート
【図１７】図１４、図１５の動作を示すフローチャート
【発明を実施するための形態】
【００１５】
以下、図面を参照しながら本発明の実施形態について説明する。
【００１６】
［第１実施形態］
図１は、本発明の第１実施形態に係るデジタル放送受信機５が適用される放送通信連携システムの構成を示す概略ブロック図である。放送通信連携システムは、放送局が放送波２により放送サービスを提供するための放送局サーバ１と、サービス事業者がインターネット等の通信ネットワークを介して通信サービスを提供するための通信サーバ３と、利用者に利用されるデジタル放送受信機５と、を具備している。
【００１７】
放送局サーバ１は、一般的なデジタル放送用の放送設備（図示しない）を備えたコンピュータである。放送局サーバ１は、コンピュータが実行可能なコンピュータプログラムが格納された記憶装置（図示しない）と、そのコンピュータプログラムを読み出して実行するＣＰＵ（Central Processing Unit）（図示しない）と、を具備している。放送局サーバ１は、放送番組、データ放送、アプリケーション制御情報（Application Information Table：ＡＩＴ）等を多重化した放送信号を生成する。放送局サーバ１は、その放送信号を放送波２に変調し、放送用アンテナを介して放送波２を送信する。
【００１８】
放送信号は、ＡＲＩＢ（登録商標）（Association of Radio Industries and Broadcast：社団法人電波産業会）標準規格で規定される。デジタル放送によって提供される映像、音声等の各種データは、国際標準規格MPEG-2 Systemsで規定されるＴＳパケット（トランスポートストリームパケット）に格納されて、時分割で多重伝送される。ＴＳパケットには、セクションに対してＰＳＩ（Program Specific Information）／ＳＩ（Service Information）が規定されている。ＰＳＩ／ＳＩは、ＴＳパケットに格納されているデータ（Elementary Stream：ＥＳ）の種別を示す情報や、コンテンツの種別を示す情報を含んでいる。データの種別を示す情報は、データ放送用のデータとＡＩＴとを伝送するためのＰＭＴ（Program Map Table）を含んでいる。
【００１９】
また、ＴＳパケットのＰＡＴ（Program Association Table）には、パケット識別子（ＰＩＤ）の一覧が格納されている。
【００２０】
ＰＳＩ／ＳＩは、更に、放送コンテンツ（放送番組）に関連する情報を伝送するためのＥＩＴ（Event Information Table）を含んでいる。ＥＩＴは、放送番組を識別する番組識別子を含んでいる。番組識別子としては、放送番組の名称である番組名（短形式イベント記述子）、放送開始時刻と放送終了時刻とを含む放送日時と、放送開始時刻から放送終了時刻までの時間を表す番組長などが挙げられる。
【００２１】
データ放送は、放送番組と連携するコンテンツである。データ放送向けの記述言語としては、ＢＭＬ（Broadcast Markup Language）文書が使用され、ＢＭＬはＡＲＩＢ（登録商標）により策定されている。ＰＭＴは、データ放送を伝送するコンポーネントに関わるデータ符号化方式記述子のadditional＿arib＿bxml＿info()において、データ放送の起動を最優先とするか否かを指定するための起動優先制御情報を含んでいる。その起動優先制御情報が最優先を示している場合は、データ放送はデジタル放送受信機５により起動される。
【００２２】
ＡＩＴは、放送マネージドアプリケーション４を管理するための情報である。放送マネージドアプリケーション４は、放送番組と連携する他のコンテンツであり、データ放送とは記述言語等のデータ形式が異なる。放送マネージドアプリケーション４向けの記述言語としては、ＨＴＭＬ（Hyper Text Markup Language）文書が使用される。また、ＡＩＴは、放送マネージドアプリケーション４を識別するアプリケーションＩＤと、放送マネージドアプリケーション４の所在を示す所在情報（Uniform Resource Locator：ＵＲＬ）と、を含んでいる。ＰＭＴは、ＡＩＴを伝送するコンポーネントに関わるデータ符号化方式記述子のait＿identifier＿info()において、放送マネージドアプリケーション４の起動を最優先とするか否かを指定するための起動優先制御情報を含んでいる。その起動優先制御情報が最優先を示している場合は、放送マネージドアプリケーション４はデジタル放送受信機５により起動される。
【００２３】
通信サーバ３は、放送マネージドアプリケーション４を配信するコンピュータである。通信サーバ３は、コンピュータが実行可能なコンピュータプログラムが格納された記憶装置（図示しない）と、そのコンピュータプログラムを読み出して実行するＣＰＵ（図示しない）と、を具備している。通信サーバ３は、アプリケーション取得要求に応じて、放送マネージドアプリケーション４を、通信ネットワークを介して配信する。
【００２４】
デジタル放送受信機５は、受信部１０と、出力部２０と、制御部３０と、通信部１１２と、これらを制御するＣＰＵ（図示しない）と、を具備している。通信部１１２は、通信ネットワークを介して通信サーバ３と通信を行う通信インタフェースである。ＣＰＵは、受信部１０、出力部２０、通信部１１２、制御部３０に対して制御を行う。
【００２５】
受信部１０は、チューナ部１０１と、放送波受信部１０２と、受信感度測定部１０３と、記憶部１０４と、を備えている。記憶部１０４にはコンピュータが実行可能なコンピュータプログラムが格納され、ＣＰＵはそのコンピュータプログラムを読み出して実行する。
【００２６】
放送波受信部１０２は、放送番組が視聴される放送番組視聴指示に応じて、放送局サーバ１から放送されている放送波２を、チューナ部１０１を介して受信する。ここで、チューナ部１０１は、第１放送サービスである複数セグメント放送（以下、フルセグメント放送とする）と、第２放送サービスであるワンセグメント放送との一方で、放送波２を受信する。放送波受信部１０２は、放送波２を復調し、放送波２から放送信号、すなわち、ＴＳパケットを抽出する。放送波受信部１０２は、ＴＳパケットに含まれている放送コンテンツ、すなわち、放送番組（映像データ及び音声データ）を出力部２０に出力する。また、放送波受信部１０２は、予め規定されている伝送方法に応じて、ＴＳパケットからＰＳＩ／ＳＩを抽出して記憶部１０４に格納する。
【００２７】
受信感度測定部１０３は、放送波２が受信されたときの電波状態を表す値を計測して、制御部３０に出力する。電波状態を表す値としては、搬送波対雑音比（Ｃ／Ｎ比）の値などが例示される。Ｃ／Ｎ比の値が、Ｃ／Ｎ比の設定値（以下、閾値と称する）を超えている場合、受信品質が良好である。Ｃ／Ｎ比の値が閾値以下である場合、受信品質が悪化している。
【００２８】
出力部２０は、音声制御部１０５と、スピーカ１０６と、映像制御部１０７と、表示部１０８と、を備えている。音声制御部１０５は、放送波受信部１０２からの音声データを、映像制御部１０７により表示制御される映像データと同期をとりながらスピーカ１０６に出力する。映像制御部１０７は、放送波受信部１０２からの映像データを、音声制御部１０５により出力制御される音声データと同期をとりながら表示部１０８に表示する。
【００２９】
制御部３０は、放送マネージドアプリケーション４を取得して提示するための機能（アプリケーションエンジン）として放送マネージドアプリケーション実行部１１０を備えている。取得された放送マネージドアプリケーション４は、その放送マネージドアプリケーション実行部１１０上で起動・終了する。放送マネージドアプリケーション実行部１１０は、記憶部１０４に格納されたＡＩＴに基づいて、アプリケーション取得要求（デジタル放送受信機５を識別する識別子と、上述のＡＩＴのアプリケーションＩＤ、ＵＲＬと、を少なくとも含む）を、通信部１１２を介して通信サーバ３に送信し、通信サーバ３から放送マネージドアプリケーション４を取得する。放送マネージドアプリケーション実行部１１０は、その放送マネージドアプリケーション４を起動させて出力部２０に提示する。
【００３０】
制御部３０は、更に、データ放送を提示するための機能（図示しない）を備えている。制御部３０は、記憶部１０４に格納されたＰＭＴに基づいて、データ放送を起動させて出力部２０に提示する。
【００３１】
制御部３０は、更に、ＰＳＩ／ＳＩ解析部１０９、受信切替指示部１１１を備えている。
【００３２】
受信切替指示部１１１は、受信感度測定部１０３から出力される電波状態を表す値が、閾値を超えている場合、放送波２をフルセグメント放送で受信するようにチューナ部１０１を制御する。一方、受信切替指示部１１１は、受信感度測定部１０３から出力される電波状態を表す値が、閾値以下である場合、放送波２をワンセグメント放送で受信するようにチューナ部１０１を制御する。
【００３３】
ＰＳＩ／ＳＩ解析部１０９は、記憶部１０４に格納されたＰＳＩ／ＳＩを解析する。まず、一般的なデジタル放送受信機の動作と、その問題点とを説明した後に、本発明の第１実施形態に係るデジタル放送受信機５の動作を説明する。ＰＳＩ／ＳＩ解析部１０９の詳細については、本発明の第１実施形態に係るデジタル放送受信機５の動作にて後述する。
【００３４】
図２は、一般的なデジタル放送受信機の動作を表す概念図である。
【００３５】
受信部１０は、放送波２をフルセグメント放送で受信し、出力部２０に提示しているものとする。このとき、出力部２０は、フルセグメント放送で受信された放送番組を表すフルセグメント放送表示画面ＳＧＦを表示部１０８に表示している。また、制御部３０の放送マネージドアプリケーション実行部１１０は、放送波２に含まれるＡＩＴに基づいて、放送マネージドアプリケーション４を取得し、出力部２０に提示しているものとする。このとき、出力部２０は、放送マネージドアプリケーション４を表すアプリケーション表示画面ＡＰを、フルセグメント放送表示画面ＳＧＦ上に表示している。
【００３６】
いま受信感度が低下し、放送波２が受信されたときの電波状態を表す値が閾値以下になり、フルセグメント放送表示画面ＳＧＦの表示状態が悪くなったものとする。この場合、受信部１０が放送波２をフルセグメント放送からワンセグメント放送に切り替えて受信するか否かによって、表示部１０８に表示される画面が異なる。即ち、放送番組を、フルセグメント放送で受信された放送番組から、ワンセグメント放送で受信された放送番組に切り替えるか否かによって、画面表示が異なる。
【００３７】
ここで、受信部１０が放送波２をフルセグメント放送からワンセグメント放送に切り替えて受信した場合、出力部２０は、ワンセグメント放送で受信された放送番組を表すワンセグメント放送表示画面ＳＧ１を表示部１０８に表示する。この場合、放送マネージドアプリケーション４の提示は終了する。即ち、アプリケーション表示画面ＡＰが表示部１０８に表示されない。
【００３８】
一方、受信部１０が放送波２をフルセグメント放送からワンセグメント放送に切り替えない場合、受信感度が低下した状態であるため、フルセグメント放送表示画面ＳＧＦの表示状態が悪いままである。この場合、放送マネージドアプリケーション４の提示は継続したままである。
【００３９】
図３は、図２の問題点を表す概念図である。
【００４０】
この問題は、例えば、フルセグメント放送とワンセグメント放送とがサイマル放送ではない場合に生じる。例えば、フルセグメント放送表示画面ＳＧＦは、馬の映像を表しているものとする。また、アプリケーション表示画面ＡＰは、フルセグメント放送表示画面ＳＧＦに依存していて、馬に関連する情報を表しているものとする。しかし、ワンセグメント放送表示画面ＳＧ１は、ゴルフの映像を表している場合、アプリケーション表示画面ＡＰが表す馬の映像と関連しない。
【００４１】
そこで、受信部１０が放送波２をフルセグメント放送からワンセグメント放送に切り替えて受信したときに、ワンセグメント放送表示画面ＳＧ１が表示部１０８に表示された場合を考える。この場合、放送マネージドアプリケーション４の提示が継続したままであるため、アプリケーション表示画面ＡＰ（馬に関連する情報）とワンセグメント放送表示画面ＳＧ１（ゴルフの映像）とが同時に表示されてしまい、放送局の意図に反した表示になってしまう。
【００４２】
図４、図５は、本発明の第１実施形態に係るデジタル放送受信機５の動作として、放送サービスをフルセグメント放送からワンセグメント放送に切り替える場合の概念図であり、図８は、その動作を表すフローチャートである。
【００４３】
図４、図５に示されるように、受信部１０は、放送波２をフルセグメント放送で受信し、出力部２０に提示しているものとする（ステップＳ１０１）。このとき、出力部２０は、フルセグメント放送で受信された放送番組を表すフルセグメント放送表示画面ＳＧＦを表示部１０８に表示している。また、制御部３０の放送マネージドアプリケーション実行部１１０は、放送波２に含まれるＡＩＴに基づいて、放送マネージドアプリケーション４を取得し、出力部２０に提示しているものとする（ステップＳ１０２）。このとき、出力部２０は、放送マネージドアプリケーション４を表すアプリケーション表示画面ＡＰを、フルセグメント放送表示画面ＳＧＦ上に表示している。
【００４４】
いま受信感度が低下し、放送波２が受信されたときの電波状態を表す値が閾値以下になり、フルセグメント放送表示画面ＳＧＦの表示状態が悪くなったものとする（ステップＳ１０３−Ｙｅｓ）。このとき、制御部３０の受信切替指示部１１１は、受信部１０の受信感度測定部１０３から出力される電波状態を表す値が、閾値以下であることを表す受信感度低下通知を制御部３０のＰＳＩ／ＳＩ解析部１０９に出力する。ＰＳＩ／ＳＩ解析部１０９は、受信切替指示部１１１からの受信感度低下通知に応じて、切替通知を受信切替指示部１１１に出力する。受信切替指示部１１１は、ＰＳＩ／ＳＩ解析部１０９からの切替通知に応じて、放送波２をワンセグメント放送で受信するように受信部１０のチューナ部１０１を制御する。受信部１０が放送波２をフルセグメント放送からワンセグメント放送に切り替えて受信した場合、出力部２０は、ワンセグメント放送で受信された放送番組を表すワンセグメント放送表示画面ＳＧ１を表示部１０８に表示する（ステップＳ１０４）。
【００４５】
ＰＳＩ／ＳＩ解析部１０９は、ＰＳＩ／ＳＩに含まれるＥＳのＰＩＤに基づいてＰＳＩ／ＳＩのＥＩＴを参照し、放送サービスがフルセグメント放送からワンセグメント放送に切り替わるときに放送サービスの切り替え前後の放送番組が同一であるか否かを解析する（ステップＳ１０５）。
【００４６】
具体的には、ＰＳＩ／ＳＩ解析部１０９は、ＰＳＩ／ＳＩに含まれるＥＳのＰＩＤを、切り替え前の放送サービスによるＰＩＤから、切り替え後の放送サービスによるＰＩＤに読み替える。まず、ＰＳＩ／ＳＩ解析部１０９は、切り替え前の放送サービスによるＰＩＤに基づいてＰＳＩ／ＳＩのＥＩＴを参照し、そのＥＩＴに含まれる放送番組の番組識別子｛番組名、放送日時（例えば、放送開始時刻）、番組長など｝を取得する。次に、ＰＳＩ／ＳＩ解析部１０９は、切り替え後の放送サービスによるＰＩＤに基づいてＰＳＩ／ＳＩのＥＩＴを参照し、そのＥＩＴに含まれる放送番組の番組識別子（番組名、放送開始時刻、番組長など）を取得する。ＰＳＩ／ＳＩ解析部１０９は、切り替え前の放送サービスの放送番組の番組識別子（番組名、放送開始時刻、番組長など）と、切り替え後の放送サービスの放送番組の番組識別子（番組名、放送開始時刻、番組長など）とが一致するか否かを解析する（照合する）。
【００４７】
ここで、放送サービスの切り替え前後の放送番組が一致する条件としては、番組名は必ず一致していなければならない。なお、放送開始時刻、番組長については、番組名が一致していれば、必ずしも一致していなくてもよい。
【００４８】
図４に示されるように、ＰＳＩ／ＳＩ解析部１０９が解析した結果、放送サービスの切り替え前であるフルセグメント放送の放送番組の番組識別子と、切り替え後であるワンセグメント放送の放送番組の番組識別子とが一致する（ステップＳ１０５−Ｙｅｓ）。すなわち、放送サービスの切り替え前後で同一の放送番組が視聴されている。この場合、ＰＳＩ／ＳＩ解析部１０９は、受信感度低下通知に対して切替通知を受信切替指示部１１１に出力するが、後述のアプリケーション提示停止指示を放送マネージドアプリケーション実行部１１０に出力しない。このとき、放送マネージドアプリケーション実行部１１０は、放送マネージドアプリケーション４の提示を継続する。即ち、アプリケーション表示画面ＡＰが表示部１０８に表示されたままである（ステップＳ１０６）。
【００４９】
ステップＳ１０６の処理において、例えば、フルセグメント放送の放送番組として、フルセグメント放送表示画面ＳＧＦが馬の映像を表しているときに、アプリケーション表示画面ＡＰは、馬に関連する情報を表している。また、ワンセグメント放送の放送番組として、ワンセグメント放送表示画面ＳＧ１は、フルセグメント放送の放送番組と同一の放送番組である馬の映像を表している。この場合、アプリケーション表示画面ＡＰ（馬に関連する情報）の表示を継続したまま、同一の放送番組としてワンセグメント放送表示画面ＳＧ１（馬の映像）が表示されているので、放送局の意図に反した表示にはならない。このように、本発明では、利用者に対して放送マネージドアプリケーション４の視聴機会が奪われることを防止することができる。
【００５０】
一方、図５に示されるように、ＰＳＩ／ＳＩ解析部１０９が解析した結果、放送サービスの切り替え前であるフルセグメント放送の放送番組の番組識別子と、切り替え後であるワンセグメント放送の放送番組の番組識別子とが一致しない（ステップＳ１０５−Ｎｏ）。すなわち、放送サービスの切り替え前後で異なる放送番組が視聴されている。この場合、ＰＳＩ／ＳＩ解析部１０９は、受信感度低下通知に対して切替通知を受信切替指示部１１１に出力すると共に、放送マネージドアプリケーション４の提示を停止するためのアプリケーション提示停止指示を放送マネージドアプリケーション実行部１１０に出力する。このとき、放送マネージドアプリケーション実行部１１０は、ＰＳＩ／ＳＩ解析部１０９からのアプリケーション提示停止指示に応じて放送マネージドアプリケーション４の提示を終了する。即ち、アプリケーション表示画面ＡＰが表示部１０８に表示されない（ステップＳ１０７）。
【００５１】
ステップＳ１０７の処理において、例えば、フルセグメント放送の放送番組として、フルセグメント放送表示画面ＳＧＦが馬の映像を表しているときに、アプリケーション表示画面ＡＰは、馬に関連する情報を表している。また、ワンセグメント放送の放送番組として、ワンセグメント放送表示画面ＳＧ１は、フルセグメント放送の放送番組と異なる放送番組であるゴルフの映像を表している。この場合、異なる放送番組としてワンセグメント放送表示画面ＳＧ１（ゴルフの映像）が表示されているので、アプリケーション表示画面ＡＰ（馬に関連する情報）の表示を停止することにより、放送局の意図に反した表示にはならない。
【００５２】
図６、図７は、本発明の第１実施形態に係るデジタル放送受信機５の動作として、放送サービスをワンセグメント放送からフルセグメント放送に切り替える場合の概念図であり、図９は、その動作を表すフローチャートである。
【００５３】
図６、図７に示されるように、受信部１０は、放送波２をワンセグメント放送で受信し、出力部２０に提示しているものとする（ステップＳ１１１）。このとき、出力部２０は、放送波２をワンセグメント放送で受信された放送番組を表すワンセグメント放送表示画面ＳＧ１を表示部１０８に表示している。また、制御部３０の放送マネージドアプリケーション実行部１１０は、放送波２に含まれるＡＩＴに基づいて、放送マネージドアプリケーション４を取得し、出力部２０に提示しているものとする（ステップＳ１１２）。このとき、出力部２０は、放送マネージドアプリケーション４を表すアプリケーション表示画面ＡＰを、ワンセグメント放送表示画面ＳＧ１上に表示している。
【００５４】
いま受信感度が向上し、放送波２が受信されたときの電波状態を表す値が閾値を超えたものとする（ステップＳ１１３−Ｙｅｓ）。このとき、制御部３０の受信切替指示部１１１は、受信部１０の受信感度測定部１０３から出力される電波状態を表す値が、閾値を超えたことを表す受信感度向上通知を制御部３０のＰＳＩ／ＳＩ解析部１０９に出力する。ＰＳＩ／ＳＩ解析部１０９は、受信切替指示部１１１からの受信感度向上通知に応じて、切替通知を受信切替指示部１１１に出力する。受信切替指示部１１１は、ＰＳＩ／ＳＩ解析部１０９からの切替通知に応じて、放送波２をフルセグメント放送で受信するように受信部１０のチューナ部１０１を制御する。受信部１０が放送波２をワンセグメント放送からフルセグメント放送に切り替えて受信した場合、出力部２０は、フルセグメント放送で受信された放送番組を表すフルセグメント放送表示画面ＳＧＦを表示部１０８に表示する（ステップＳ１１４）。
【００５５】
ＰＳＩ／ＳＩ解析部１０９は、ＰＳＩ／ＳＩに含まれるＥＳのＰＩＤに基づいてＰＳＩ／ＳＩのＥＩＴを参照し、放送サービスがワンセグメント放送からフルセグメント放送に切り替わるときに放送サービスの切り替え前後の放送番組の番組識別子が同一であるか否かを解析する（ステップＳ１１５）。
【００５６】
ＰＳＩ／ＳＩ解析部１０９の解析方法及び一致条件については上述と同じである。
【００５７】
図６に示されるように、ＰＳＩ／ＳＩ解析部１０９が解析した結果、放送サービスの切り替え前であるワンセグメント放送の放送番組の番組識別子と、切り替え後であるフルセグメント放送の放送番組の番組識別子とが一致する（ステップＳ１１５−Ｙｅｓ）。すなわち、放送サービスの切り替え前後で同一の放送番組が視聴されている。この場合、ＰＳＩ／ＳＩ解析部１０９は、受信感度向上通知に対して切替通知を受信切替指示部１１１に出力するが、アプリケーション提示停止指示を放送マネージドアプリケーション実行部１１０に出力しない。このとき、放送マネージドアプリケーション実行部１１０は、放送マネージドアプリケーション４の提示を継続する。即ち、アプリケーション表示画面ＡＰが表示部１０８に表示されたままである（ステップＳ１１６）。ただし、サービス切り替え後のフルセグメント放送において、別の放送マネージドアプリケーションを提示するように指示されていた場合、または、放送マネージドアプリケーションの提示を行わないように指示されていた場合には、それに従うものとする。
【００５８】
ステップＳ１１６の処理において、例えば、ワンセグメント放送の放送番組として、ワンセグメント放送表示画面ＳＧ１が馬の映像を表しているときに、アプリケーション表示画面ＡＰは、馬に関連する情報を表している。また、フルセグメント放送の放送番組として、フルセグメント放送表示画面ＳＧＦは、ワンセグメント放送の放送番組と同一の放送番組である馬の映像を表している。この場合、アプリケーション表示画面ＡＰ（馬に関連する情報）の表示を継続したまま、同一の放送番組としてフルセグメント放送表示画面ＳＧＦ（馬の映像）が表示されているので、放送局の意図に反した表示にはならない。このように、本発明では、利用者に対して放送マネージドアプリケーション４の視聴機会が奪われることを防止することができる。
【００５９】
一方、図７に示されるように、ＰＳＩ／ＳＩ解析部１０９が解析した結果、放送サービスの切り替え前であるワンセグメント放送の放送番組の番組識別子と、切り替え後であるフルセグメント放送の放送番組の番組識別子とが一致しない（ステップＳ１１５−Ｎｏ）。すなわち、放送サービスの切り替え前後で異なる放送番組が視聴されている。この場合、ＰＳＩ／ＳＩ解析部１０９は、受信感度向上通知に対して切替通知を受信切替指示部１１１に出力すると共に、アプリケーション提示停止指示を放送マネージドアプリケーション実行部１１０に出力する。このとき、放送マネージドアプリケーション実行部１１０は、ＰＳＩ／ＳＩ解析部１０９からのアプリケーション提示停止指示に応じて放送マネージドアプリケーション４の提示を終了する。即ち、アプリケーション表示画面ＡＰが表示部１０８に表示されない（ステップＳ１１７）。
【００６０】
ステップＳ１１７の処理において、例えば、ワンセグメント放送の放送番組として、ワンセグメント放送表示画面ＳＧ１が馬の映像を表しているときに、アプリケーション表示画面ＡＰは、馬に関連する情報を表している。また、フルセグメント放送の放送番組として、フルセグメント放送表示画面ＳＧＦは、ワンセグメント放送の放送番組と異なる放送番組である蹴球の映像を表している。この場合、異なる放送番組としてフルセグメント放送表示画面ＳＧＦ（蹴球の映像）が表示されているので、アプリケーション表示画面ＡＰ（馬に関連する情報）の表示を停止することにより、放送局の意図に反した表示にはならない。
【００６１】
または、図７に示されるように、ＰＳＩ／ＳＩ解析部１０９が解析した結果、放送サービスの切り替え前であるワンセグメント放送の放送番組の番組識別子と、切り替え後であるフルセグメント放送の放送番組の番組識別子とが一致しない（ステップＳ１１５−Ｎｏ）。すなわち、放送サービスの切り替え前後で異なる放送番組が視聴されている。この場合、ＰＳＩ／ＳＩ解析部１０９は、受信感度向上通知に対して切替通知を受信切替指示部１１１に出力する。同時に、アプリケーション提示停止指示、及び、新たな放送マネージドアプリケーション４を提示するための新規アプリケーション提示指示を放送マネージドアプリケーション実行部１１０に出力する。このとき、放送マネージドアプリケーション実行部１１０は、ＰＳＩ／ＳＩ解析部１０９からのアプリケーション提示停止指示に応じて、現在の放送マネージドアプリケーション４の提示を終了すると共に、ＰＳＩ／ＳＩ解析部１０９からの新規アプリケーション提示指示に応じて、放送波２に含まれる新たなＡＩＴに基づいて、新たに放送マネージドアプリケーション４を取得し、出力部２０に提示する（ステップＳ１１７）。
【００６２】
ステップＳ１１７の他の処理において、例えば、ワンセグメント放送の放送番組として、ワンセグメント放送表示画面ＳＧ１が馬の映像を表しているときに、アプリケーション表示画面ＡＰは、馬に関連する情報に代えて、蹴球に関連する情報を表している。また、フルセグメント放送の放送番組として、フルセグメント放送表示画面ＳＧＦは、ワンセグメント放送の放送番組と異なる放送番組である蹴球の映像を表している。この場合、フルセグメント放送表示画面ＳＧＦ（蹴球の映像）を表示したときに、異なる放送番組が視聴されるが、アプリケーション表示画面ＡＰが馬に関連する情報から蹴球に関連する情報に変更されることにより、放送局の意図に反した表示にはならない。このように、本発明では、利用者に対して放送マネージドアプリケーション４の視聴機会が奪われることを防止することができる。
【００６３】
以上の説明により、本発明の第１実施形態に係るデジタル放送受信機５は、放送番組をフルセグメント放送で受信された放送番組からワンセグメント放送で受信された放送番組に切り替えるときに、放送サービスの切り替え前であるフルセグメント放送の放送番組と、切り替え後であるワンセグメント放送の放送番組とが一致する場合、放送マネージドアプリケーション４の提示を継続する。その後に、デジタル放送受信機５は、放送番組をワンセグメント放送からフルセグメント放送に切り替えるときに、放送サービスの切り替え前であるワンセグメント放送の放送番組と、切り替え後であるフルセグメント放送の放送番組とが一致する場合、放送マネージドアプリケーション４の提示を継続する。このように、本発明の第１実施形態に係るデジタル放送受信機５によれば、利用者に対して放送マネージドアプリケーション４の視聴機会が奪われることを防止することができる。
【００６４】
［第２実施形態］
第２実施形態では第１実施形態からの変更点のみ説明する。
【００６５】
まず、一般的なデジタル放送受信機の動作と、その問題点とを説明した後に、本発明の第２実施形態に係るデジタル放送受信機５の動作を説明する。
【００６６】
図１０は、一般的なデジタル放送受信機の動作を表す概念図である。
【００６７】
受信部１０は、放送波２をワンセグメント放送で受信し、出力部２０に提示しているものとする。このとき、出力部２０は、ワンセグメント放送で受信された放送番組を表すワンセグメント放送表示画面ＳＧ１を表示部１０８に表示している。また、制御部３０の放送マネージドアプリケーション実行部１１０は、放送波２に含まれるＡＩＴに基づいて、放送マネージドアプリケーション４を取得し、出力部２０に提示しているものとする。このとき、出力部２０は、放送マネージドアプリケーション４を表すアプリケーション表示画面ＡＰを、ワンセグメント放送表示画面ＳＧ１上に表示している。
【００６８】
いま受信感度が向上し、放送波２が受信されたときの電波状態を表す値が閾値を超えたものとする。この場合、受信部１０が放送波２をワンセグメント放送からフルセグメント放送に切り替えて受信するか否かによって、表示部１０８に表示される画面が異なる。即ち、放送番組を、ワンセグメント放送で受信された放送番組から、フルセグメント放送で受信された放送番組に切り替えるか否かによって、画面表示が異なる。
【００６９】
ここで、受信部１０が放送波２をワンセグメント放送からフルセグメント放送に切り替えて受信した場合、出力部２０は、フルセグメント放送で受信された放送番組を表すフルセグメント放送表示画面ＳＧＦを表示部１０８に表示する。この場合、放送マネージドアプリケーション４の提示は終了する。即ち、アプリケーション表示画面ＡＰが表示部１０８に表示されない。
【００７０】
一方、受信部１０が放送波２をワンセグメント放送からフルセグメント放送に切り替えない場合、放送マネージドアプリケーション４の提示は継続したままである。
【００７１】
図１１は、図１０の問題点を表す概念図である。
【００７２】
この問題は、例えば、ワンセグメント放送とフルセグメント放送とがサイマル放送ではない場合に生じる。例えば、ワンセグメント放送表示画面ＳＧ１は、ゴルフの映像を表しているものとする。また、アプリケーション表示画面ＡＰは、ワンセグメント放送表示画面ＳＧ１に依存していて、ゴルフに関連する情報を表しているものとする。しかし、フルセグメント放送表示画面ＳＧＦは、馬の映像を表している場合、アプリケーション表示画面ＡＰが表すゴルフの映像と関連しない。
【００７３】
そこで、受信部１０が放送波２をワンセグメント放送からフルセグメント放送に切り替えて受信したときに、フルセグメント放送表示画面ＳＧＦが表示部１０８に表示された場合を考える。この場合、放送マネージドアプリケーション４の提示が継続したままであるため、アプリケーション表示画面ＡＰ（ゴルフに関連する情報）とフルセグメント放送表示画面ＳＧＦ（馬の映像）とが同時に表示されてしまい、放送局の意図に反した表示になってしまう。
【００７４】
図１２、図１３は、本発明の第２実施形態に係るデジタル放送受信機５の動作として、放送サービスをワンセグメント放送からフルセグメント放送に切り替える場合の概念図であり、図１６は、その動作を表すフローチャートである。
【００７５】
図１２、図１３に示されるように、受信部１０は、放送波２をワンセグメント放送で受信し、出力部２０に提示しているものとする（ステップＳ２０１）。このとき、出力部２０は、放送波２をワンセグメント放送で受信された放送番組を表すワンセグメント放送表示画面ＳＧ１を表示部１０８に表示している。また、制御部３０の放送マネージドアプリケーション実行部１１０は、放送波２に含まれるＡＩＴに基づいて、放送マネージドアプリケーション４を取得し、出力部２０に提示しているものとする（ステップＳ２０２）。このとき、出力部２０は、放送マネージドアプリケーション４を表すアプリケーション表示画面ＡＰを、ワンセグメント放送表示画面ＳＧ１上に表示している。
【００７６】
いま受信感度が向上し、放送波２が受信されたときの電波状態を表す値が閾値を超えたものとする（ステップＳ２０３−Ｙｅｓ）。このとき、制御部３０の受信切替指示部１１１は、受信部１０の受信感度測定部１０３から出力される電波状態を表す値が、閾値を超えたことを表す受信感度向上通知を制御部３０のＰＳＩ／ＳＩ解析部１０９に出力する。ＰＳＩ／ＳＩ解析部１０９は、受信切替指示部１１１からの受信感度向上通知に応じて、切替通知を受信切替指示部１１１に出力する。受信切替指示部１１１は、ＰＳＩ／ＳＩ解析部１０９からの切替通知に応じて、放送波２をフルセグメント放送で受信するように受信部１０のチューナ部１０１を制御する。受信部１０が放送波２をワンセグメント放送からフルセグメント放送に切り替えて受信した場合、出力部２０は、フルセグメント放送で受信された放送番組を表すフルセグメント放送表示画面ＳＧＦを表示部１０８に表示する（ステップＳ２０４）。
【００７７】
ＰＳＩ／ＳＩ解析部１０９は、ＰＳＩ／ＳＩに含まれるＥＳのＰＩＤに基づいてＰＳＩ／ＳＩのＥＩＴを参照し、放送サービスがワンセグメント放送からフルセグメント放送に切り替わるときに放送サービスの切り替え前後の放送番組の番組識別子が同一であるか否かを解析する（ステップＳ２０５）。
【００７８】
図１２に示されるように、ＰＳＩ／ＳＩ解析部１０９が解析した結果、放送サービスの切り替え前であるワンセグメント放送の放送番組の番組識別子と、切り替え後であるフルセグメント放送の放送番組の番組識別子とが一致する（ステップＳ２０５−Ｙｅｓ）。すなわち、放送サービスの切り替え前後で同一の放送番組が視聴されている。この場合、ＰＳＩ／ＳＩ解析部１０９は、受信感度向上通知に対して切替通知を受信切替指示部１１１に出力するが、アプリケーション提示停止指示を放送マネージドアプリケーション実行部１１０に出力しない。このとき、放送マネージドアプリケーション実行部１１０は、放送マネージドアプリケーション４の提示を継続する。即ち、アプリケーション表示画面ＡＰが表示部１０８に表示されたままである（ステップＳ２０６）。ただし、サービス切り替え後のフルセグメント放送において、別の放送マネージドアプリケーションを提示するように指示されていた場合、または、放送マネージドアプリケーションの提示を行わないように指示されていた場合には、それに従うものとする。
【００７９】
ステップＳ２０６の処理において、例えば、ワンセグメント放送の放送番組として、ワンセグメント放送表示画面ＳＧ１がゴルフの映像を表しているときに、アプリケーション表示画面ＡＰは、ゴルフに関連する情報を表している。また、フルセグメント放送の放送番組として、フルセグメント放送表示画面ＳＧＦは、ワンセグメント放送の放送番組と同一の放送番組であるゴルフの映像を表している。この場合、アプリケーション表示画面ＡＰ（ゴルフに関連する情報）の表示を継続したまま、同一の放送番組としてフルセグメント放送表示画面ＳＧＦ（馬の映像）が表示されているので、放送局の意図に反した表示にはならない。このように、本発明では、利用者に対して放送マネージドアプリケーション４の視聴機会が奪われることを防止することができる。
【００８０】
一方、図１３に示されるように、ＰＳＩ／ＳＩ解析部１０９が解析した結果、放送サービスの切り替え前であるワンセグメント放送の放送番組の番組識別子と、切り替え後であるフルセグメント放送の放送番組の番組識別子とが一致しない（ステップＳ２０５−Ｎｏ）。すなわち、放送サービスの切り替え前後で異なる放送番組が視聴されている。この場合、ＰＳＩ／ＳＩ解析部１０９は、受信感度向上通知に対して切替通知を受信切替指示部１１１に出力すると共に、アプリケーション提示停止指示を放送マネージドアプリケーション実行部１１０に出力する。このとき、放送マネージドアプリケーション実行部１１０は、ＰＳＩ／ＳＩ解析部１０９からのアプリケーション提示停止指示に応じて放送マネージドアプリケーション４の提示を終了する。即ち、アプリケーション表示画面ＡＰが表示部１０８に表示されない（ステップＳ２０７）。
【００８１】
ステップＳ２０７の処理において、例えば、ワンセグメント放送の放送番組として、ワンセグメント放送表示画面ＳＧ１がゴルフの映像を表しているときに、アプリケーション表示画面ＡＰは、ゴルフに関連する情報を表している。また、フルセグメント放送の放送番組として、フルセグメント放送表示画面ＳＧＦは、ワンセグメント放送の放送番組と異なる放送番組である馬の映像を表している。この場合、異なる放送番組としてフルセグメント放送表示画面ＳＧＦ（馬の映像）が表示されているので、アプリケーション表示画面ＡＰ（ゴルフに関連する情報）の表示を停止することにより、放送局の意図に反した表示にはならない。
【００８２】
または、図１３に示されるように、ＰＳＩ／ＳＩ解析部１０９が解析した結果、放送サービスの切り替え前であるワンセグメント放送の放送番組の番組識別子と、切り替え後であるフルセグメント放送の放送番組の番組識別子とが一致しない（ステップＳ２０５−Ｎｏ）。すなわち、放送サービスの切り替え前後で異なる放送番組が視聴されている。この場合、ＰＳＩ／ＳＩ解析部１０９は、受信感度向上通知に対して切替通知を受信切替指示部１１１に出力する。同時に、アプリケーション提示停止指示、及び、新規アプリケーション提示指示を放送マネージドアプリケーション実行部１１０に出力する。このとき、放送マネージドアプリケーション実行部１１０は、ＰＳＩ／ＳＩ解析部１０９からのアプリケーション提示停止指示に応じて、現在の放送マネージドアプリケーション４の提示を終了すると共に、ＰＳＩ／ＳＩ解析部１０９からの新規アプリケーション提示指示に応じて、放送波２に含まれる新たなＡＩＴに基づいて、新たに放送マネージドアプリケーション４を取得し、出力部２０に提示する（ステップＳ２０７）。
【００８３】
ステップＳ２０７の他の処理において、例えば、ワンセグメント放送の放送番組として、ワンセグメント放送表示画面ＳＧ１がゴルフの映像を表しているときに、アプリケーション表示画面ＡＰは、ゴルフに関連する情報に代えて、馬に関連する情報を表している。また、フルセグメント放送の放送番組として、フルセグメント放送表示画面ＳＧＦは、ワンセグメント放送の放送番組と異なる放送番組である馬の映像を表している。この場合、フルセグメント放送表示画面ＳＧＦ（馬の映像）を表示したときに、異なる放送番組が視聴されるが、アプリケーション表示画面ＡＰがゴルフに関連する情報から馬に関連する情報に変更されることにより、放送局の意図に反した表示にはならない。このように、本発明では、利用者に対して放送マネージドアプリケーション４の視聴機会が奪われることを防止することができる。
【００８４】
図１４、図１５は、本発明の第２実施形態に係るデジタル放送受信機５の動作として、放送サービスをフルセグメント放送からワンセグメント放送に切り替える場合の概念図であり、図１７は、その動作を表すフローチャートである。
【００８５】
図１４、図１５に示されるように、受信部１０は、放送波２をフルセグメント放送で受信し、出力部２０に提示しているものとする（ステップＳ２１１）。このとき、出力部２０は、放送波２をフルセグメント放送で受信された放送番組を表すフルセグメント放送表示画面ＳＧＦを表示部１０８に表示している。また、制御部３０の放送マネージドアプリケーション実行部１１０は、放送波２に含まれるＡＩＴに基づいて、放送マネージドアプリケーション４を取得し、出力部２０に提示しているものとする（ステップＳ２１２）。このとき、出力部２０は、放送マネージドアプリケーション４を表すアプリケーション表示画面ＡＰを、フルセグメント放送表示画面ＳＧＦ上に表示している。
【００８６】
いま受信感度が低下し、放送波２が受信されたときの電波状態を表す値が閾値以下になり、フルセグメント放送表示画面ＳＧＦの表示状態が悪くなったものとする（ステップＳ２１３−Ｙｅｓ）。このとき、制御部３０の受信切替指示部１１１は、受信部１０の受信感度測定部１０３から出力される電波状態を表す値が、閾値以下であることを表す受信感度低下通知を制御部３０のＰＳＩ／ＳＩ解析部１０９に出力する。ＰＳＩ／ＳＩ解析部１０９は、受信切替指示部１１１からの受信感度低下通知に応じて、切替通知を受信切替指示部１１１に出力する。受信切替指示部１１１は、ＰＳＩ／ＳＩ解析部１０９からの切替通知に応じて、放送波２をワンセグメント放送で受信するように受信部１０のチューナ部１０１を制御する。受信部１０が放送波２をフルセグメント放送からワンセグメント放送に切り替えて受信した場合、出力部２０は、ワンセグメント放送で受信された放送番組を表すワンセグメント放送表示画面ＳＧ１を表示部１０８に表示する（ステップＳ２１４）。
【００８７】
ＰＳＩ／ＳＩ解析部１０９は、ＰＳＩ／ＳＩに含まれるＥＳのＰＩＤに基づいてＰＳＩ／ＳＩのＥＩＴを参照し、放送サービスがフルセグメント放送からワンセグメント放送に切り替わるときに放送サービスの切り替え前後の放送番組の番組識別子が同一であるか否かを解析する（ステップＳ２１５）。
【００８８】
図１３に示されるように、ＰＳＩ／ＳＩ解析部１０９が解析した結果、放送サービスの切り替え前であるフルセグメント放送の放送番組の番組識別子と、切り替え後であるワンセグメント放送の放送番組の番組識別子とが一致する（ステップＳ２１５−Ｙｅｓ）。すなわち、放送サービスの切り替え前後で同一の放送番組が視聴されている。この場合、ＰＳＩ／ＳＩ解析部１０９は、受信感度低下通知に対して切替通知を受信切替指示部１１１に出力するが、アプリケーション提示停止指示を放送マネージドアプリケーション実行部１１０に出力しない。このとき、放送マネージドアプリケーション実行部１１０は、放送マネージドアプリケーション４の提示を継続する。即ち、アプリケーション表示画面ＡＰが表示部１０８に表示されたままである（ステップＳ２１６）。
【００８９】
ステップＳ２１６の処理において、例えば、フルセグメント放送の放送番組として、フルセグメント放送表示画面ＳＧＦがゴルフの映像を表しているときに、アプリケーション表示画面ＡＰは、ゴルフに関連する情報を表している。また、ワンセグメント放送の放送番組として、ワンセグメント放送表示画面ＳＧ１は、フルセグメント放送の放送番組と同一の放送番組であるゴルフの映像を表している。この場合、アプリケーション表示画面ＡＰ（ゴルフに関連する情報）の表示を継続したまま、同一の放送番組としてワンセグメント放送表示画面ＳＧ１（ゴルフの映像）が表示されているので、放送局の意図に反した表示にはならない。このように、本発明では、利用者に対して放送マネージドアプリケーション４の視聴機会が奪われることを防止することができる。
【００９０】
一方、図１４に示されるように、ＰＳＩ／ＳＩ解析部１０９が解析した結果、放送サービスの切り替え前であるフルセグメント放送の放送番組の番組識別子と、切り替え後であるワンセグメント放送の放送番組の番組識別子とが一致しない（ステップＳ２１５−Ｎｏ）。すなわち、放送サービスの切り替え前後で異なる放送番組が視聴されている。この場合、ＰＳＩ／ＳＩ解析部１０９は、受信感度低下通知に対して切替通知を受信切替指示部１１１に出力すると共に、アプリケーション提示停止指示を放送マネージドアプリケーション実行部１１０に出力する。このとき、放送マネージドアプリケーション実行部１１０は、ＰＳＩ／ＳＩ解析部１０９からのアプリケーション提示停止指示に応じて放送マネージドアプリケーション４の提示を終了する。即ち、アプリケーション表示画面ＡＰが表示部１０８に表示されない（ステップＳ２１７）。
【００９１】
ステップＳ２１７の処理において、例えば、フルセグメント放送の放送番組として、フルセグメント放送表示画面ＳＧＦがゴルフの映像を表しているときに、アプリケーション表示画面ＡＰは、ゴルフに関連する情報を表している。また、ワンセグメント放送の放送番組として、ワンセグメント放送表示画面ＳＧ１は、フルセグメント放送の放送番組と異なる放送番組である蹴球の映像を表している。この場合、異なる放送番組としてワンセグメント放送表示画面ＳＧ１（蹴球の映像）が表示されているので、アプリケーション表示画面ＡＰ（ゴルフに関連する情報）の表示を停止することにより、放送局の意図に反した表示にはならない。
【００９２】
以上の説明により、本発明の第２実施形態に係るデジタル放送受信機５は、放送番組をワンセグメント放送で受信された放送番組からフルセグメント放送で受信された放送番組に切り替えるときに、放送サービスの切り替え前であるワンセグメント放送の放送番組の番組識別子と、切り替え後であるフルセグメント放送の放送番組の番組識別子とが一致する場合、放送マネージドアプリケーション４の提示を継続する。その後に、デジタル放送受信機５は、放送番組をフルセグメント放送からワンセグメント放送に切り替えるときに、放送サービスの切り替え前であるフルセグメント放送の放送番組の番組識別子と、切り替え後であるワンセグメント放送の放送番組の番組識別子とが一致する場合、放送マネージドアプリケーション４の提示を継続する。このように、本発明の第２実施形態に係るデジタル放送受信機５によれば、利用者に対して放送マネージドアプリケーション４の視聴機会が奪われることを防止することができる。
【００９３】
以上、本発明について詳述してきたが、具体的な構成は実施形態に限られるものではなく、この発明の要旨を逸脱しない範囲の設計等も特許請求の範囲に含まれる。
【符号の説明】
【００９４】
２…放送波、４…放送マネージドアプリケーション、５…デジタル放送受信機、１０…受信部、２０…出力部、３０…制御部、ＡＰ…アプリケーション表示画面、ＳＧ１…ワンセグメント放送表示画面、ＳＧＦ…フルセグメント放送表示画面
【図１】
2015211434.tif 000003
【図２】
2015211434.tif 000004
【図３】
2015211434.tif 000005
【図４】
2015211434.tif 000006
【図５】
2015211434.tif 000007
【図６】
2015211434.tif 000008
【図７】
2015211434.tif 000009
【図８】
2015211434.tif 000010
【図９】
2015211434.tif 000011
【図１０】
2015211434.tif 000012
【図１１】
2015211434.tif 000013
【図１２】
2015211434.tif 000014
【図１３】
2015211434.tif 000015
【図１４】
2015211434.tif 000016
【図１５】
2015211434.tif 000017
【図１６】
2015211434.tif 000018
【図１７】
2015211434.tif 000019